(57)【要約】      （修正有）【課題】導線の分断部が視認されてしまうことを十分に抑制することができる導電性パターン基板を提供する。【解決手段】導電性パターン基板の他方の側に位置する第２導線５５には、第２ライン部５６を電気的に分断するための複数の第２分断部５８が設けられている。導電性パターン基板の一方の側から見た場合に、第２導線５５の複数の第２分断部５８の少なくとも一部は、導電性パターン基板の一方の側に位置する第１導線５０の第１ライン部５１と部分的に重なっている。また第１導線５０は、第２導線５５の第２分断部５８と重なる位置において、第１ライン部５１が延びる方向とは交差する方向で第１ライン部５１から突出した第１突出部５４を含んでいる。【選択図】図６
2017004519.tif 000002
【特許請求の範囲】
【請求項１】
導電性を有するパターンが設けられた導電性パターン基板であって、
導電性パターン基板の一方の側に網目状に配置された複数の第１ライン部を含み、遮光性および導電性を有する第１導線と、
導電性パターン基板の他方の側に網目状に配置された複数の第２ライン部を含み、遮光性および導電性を有する第２導線と、を備え、
前記第２導線には、前記第２ライン部を電気的に分断するための複数の第２分断部が設けられており、
前記導電性パターン基板の一方の側から見た場合に、前記第２導線の前記複数の第２分断部の少なくとも一部は、前記第１導線の前記第１ライン部と部分的に重なっており、
前記第１導線は、前記第２導線の前記第２分断部と重なる位置において、前記第１ライン部が延びる方向とは交差する方向で前記第１ライン部から突出した第１突出部をさらに含む、導電性パターン基板。
【請求項２】
導電性パターン基板であって、
第１の基材と、
前記第１の基材に網目状に配置された複数の第１ライン部を含み、遮光性および導電性を有する第１導線と、
前記第１の基材と向かい合うよう配置された第２の基材と、
前記第２の基材に網目状に配置された複数の第２ライン部を含み、遮光性および導電性を有する第２導線と、を備え、
前記第２導線には、前記第２ライン部を電気的に分断するための複数の第２分断部が設けられており、
前記導電性パターン基板の一方の側から見た場合に、前記第２導線の前記複数の第２分断部の少なくとも一部は、前記第１導線の前記第１ライン部と部分的に重なっており、
前記第１導線は、前記第２導線の前記第２分断部と重なる位置において、前記第１ライン部が延びる方向とは交差する方向で前記第１ライン部から突出した第１突出部をさらに含む、導電性パターン基板。
【請求項３】
導電性を有するパターンが設けられた導電性パターン基板であって、
導電性パターン基板の一方の側に網目状に配置された複数の第１ライン部を含み、遮光性および導電性を有する第１導線と、
導電性パターン基板の他方の側に網目状に配置された複数の第２ライン部を含み、遮光性および導電性を有する第２導線と、を備え、
前記第２導線には、前記第２ライン部を電気的に分断するための複数の第２分断部が設けられており、
前記第１導線は、前記第１ライン部から突出し且つ前記導電性パターン基板の一方の側から見た場合に前記第２導線の前記第２分断部と重なる位置を延びる第１突出部をさらに含む、導電性パターン基板。
【請求項４】
導電性パターン基板であって、
第１の基材と、
前記第１の基材に網目状に配置された複数の第１ライン部を含み、遮光性および導電性を有する第１導線と、
前記第１の基材と向かい合うよう配置された第２の基材と、
前記第２の基材に網目状に配置された複数の第２ライン部を含み、遮光性および導電性を有する第２導線と、を備え、
前記第２導線には、前記第２ライン部を電気的に分断するための複数の第２分断部が設けられており、
前記第１導線は、前記第１ライン部から突出し且つ前記導電性パターン基板の一方の側から見た場合に前記第２導線の前記第２分断部と重なる位置を延びる第１突出部をさらに含む、導電性パターン基板。
【請求項５】
前記第２分断部は、前記導電性パターン基板の一方の側から見た場合に、前記第１ライン部とずれた位置に設けられている、請求項３または４に記載の導電性パターン基板。
【請求項６】
前記第２分断部は、当該第２分断部に分断された二つの第２ライン部と、当該第２分断部の両側に位置して前記二つの第２ライン部とそれぞれ交差し且つ隣り合って設けられた他の二つの第２ライン部と、の交点の中間からずれた位置に設けられている、請求項３乃至５のいずれか一項に記載の導電性パターン基板。
【請求項７】
前記導電性パターン基板の一方の側から見た場合に、前記第１導線の第１突出部は、前記第２導線の前記第２ライン部と部分的に重なっている、請求項１乃至６のいずれか一項に記載の導電性パターン基板。
【請求項８】
前記第１導線には、前記第１ライン部を電気的に分断するための複数の第１分断部が設けられており、
前記導電性パターン基板の一方の側から見た場合に、前記第１導線の前記複数の第１分断部の少なくとも一部は、前記第２導線の前記第２ライン部と部分的に重なっており、
前記第２導線は、前記第１導線の前記第１分断部と重なる位置において、前記第２ライン部が延びる方向とは交差する方向で前記第２ライン部から突出した第２突出部をさらに含む、請求項１乃至７のいずれか一項に記載の導電性パターン基板。
【請求項９】
前記第１導線は、前記導電性パターン基板の一方の側から見た場合に前記第１導線の前記第１ライン部と前記第２導線の前記第２ライン部とが重なる位置において、前記第１ライン部が延びる方向とは交差する方向で前記第１ライン部から突出した第１突出部をさらに含む、請求項１乃至８のいずれか一項に記載の導電性パターン基板。
【請求項１０】
前記導電性パターン基板は、タッチパネル基板として機能するものであり、
前記複数の第１導線によって、第１電極方向に延びる複数の第１電極と、前記第１電極の間に配置された複数の第１ダミー部と、が構成され、
前記複数の第２導線によって、前記第１電極方向と交差する第２電極方向に延びる複数の第２電極と、前記第２電極の間に配置された複数の第２ダミー部と、が構成され、
前記第２分断部は、前記第２電極を構成する前記第２ライン部と前記第２ダミー部を構成する前記第２ライン部との間、または、前記第２ダミー部を構成する前記第２ライン部同士の間に位置している、請求項１乃至９のいずれか一項に記載の導電性パターン基板。
【発明の詳細な説明】
【技術分野】
【０００１】
本発明は、導電性を有するパターンが設けられた導電性パターン基板に関する。
【背景技術】
【０００２】
メッシュタイプのタッチパネル基板や、電磁波シールド基板などの分野において、網目状に配置された導線を有する導電性パターン基板が利用されている。通常、網目状に配置された導線には、導線を電気的に分断するための複数の分断部が設けられている。例えばタッチパネル基板においては、外部導体の接触や接近を検出するための複数の電極が設けられており、これら電極がそれぞれ、網目状に配置された導線によって構成されている。また、各電極の間は電気的に絶縁されている。このため、複数の電極が隣接するよう並べられる場合、隣り合う２つの電極の間の領域は、導線が存在しない空白領域となる。隣り合う２つの電極の間の領域においては、電極を構成する導線が分断されている。
【０００３】
上述の空白領域においては、その他の領域に比べて、光の透過率が局所的に高くなる。このため、空白領域が目立ってしまい、この結果、導電性パターン基板の使用者によって電極の輪郭が視認されてしまうことが考えられる。このような課題を解決するため、例えば特許文献１においては、空白領域に接する導線の端部に、他の位置における導線の幅よりも広い幅を有する拡幅部を設けることが提案されている。これによって、空白領域およびその周辺領域における光の透過率の平均値を低下させることができる。
【先行技術文献】
【特許文献】
【０００４】
【特許文献１】国際公開第２０１４／１０４０２８号パンフレット
【発明の概要】
【発明が解決しようとする課題】
【０００５】
上述の特許文献１において提案されている方法によっては、光の透過率の平均値を低下させることはできるが、空白領域を無くすことはできない。このため、使用者によって空白領域が視認されてしまうおそれがある。また通常、空白領域は、電極の配列ピッチと同一のピッチで周期的に並ぶ。このため、空白領域が並ぶ周期と、その他の構成要素の周期との間の干渉に起因して、モアレが視認されてしまうことも考えられる。例えば、タッチパネル基板とカラーフィルタとが組み合わされる場合、空白領域が並ぶ周期と、カラーフィルタの画素の周期との干渉に起因するモアレが生じることが考えられる。特に、ペンなどの細い外部導体を用いた入力に対応したタッチパネル基板の場合、入力の分解能を向上させるため、電極の配列ピッチが従来よりも小さくなっている。このため、カラーフィルタの画素など、極めて小さな周期で並ぶ構成要素との間においても、タッチパネル基板の空白領域に起因するモアレが生じやすくなっている。
【０００６】
本発明は、このような点を考慮してなされたものであり、導線の分断部が視認されてしまうことを十分に抑制することができる導電性パターン基板を提供することを目的とする。
【課題を解決するための手段】
【０００７】
第１の発明は、
導電性を有するパターンが設けられた導電性パターン基板であって、
網目状に配置された複数の第１ライン部を含み、遮光性および導電性を有する第１導線と、
網目状に配置された複数の第２ライン部を含み、遮光性および導電性を有する第２導線と、を備え、
前記第２導線には、前記第２ライン部を電気的に分断するための複数の第２分断部が設けられており、
前記第１導線は、前記第１ライン部から突出し且つ前記導電性パターン基板の一方の側から見た場合に前記第２導線の前記第２分断部と重なる位置を延びる第１突出部をさらに含む、導電性パターン基板である。
【０００８】
第２の本発明は、導電性を有するパターンが設けられた導電性パターン基板であって、導電性パターン基板の一方の側に網目状に配置された複数の第１ライン部を含み、遮光性および導電性を有する第１導線と、導電性パターン基板の他方の側に網目状に配置された複数の第２ライン部を含み、遮光性および導電性を有する第２導線と、を備え、前記第２導線には、前記第２ライン部を電気的に分断するための複数の第２分断部が設けられており、前記導電性パターン基板の一方の側から見た場合に、前記第２導線の前記複数の第２分断部の少なくとも一部は、前記第１導線の前記第１ライン部と部分的に重なっており、前記第１導線は、前記第２導線の前記第２分断部と重なる位置において、前記第１ライン部が延びる方向とは交差する方向で前記第１ライン部から突出した第１突出部をさらに含む、導電性パターン基板である。
【０００９】
第３の本発明は、導電性パターン基板であって、第１の基材と、前記第１の基材に網目状に配置された複数の第１ライン部を含み、遮光性および導電性を有する第１導線と、前記第１の基材と向かい合うよう配置された第２の基材と、前記第２の基材に網目状に配置された複数の第２ライン部を含み、遮光性および導電性を有する第２導線と、を備え、前記第２導線には、前記第２ライン部を電気的に分断するための複数の第２分断部が設けられており、前記導電性パターン基板の一方の側から見た場合に、前記第２導線の前記複数の第２分断部の少なくとも一部は、前記第１導線の前記第１ライン部と部分的に重なっており、前記第１導線は、前記第２導線の前記第２分断部と重なる位置において、前記第１ライン部が延びる方向とは交差する方向で前記第１ライン部から突出した第１突出部をさらに含む、導電性パターン基板である。
【００１０】
第４の本発明は、導電性を有するパターンが設けられた導電性パターン基板であって、導電性パターン基板の一方の側に網目状に配置された複数の第１ライン部を含み、遮光性および導電性を有する第１導線と、導電性パターン基板の他方の側に網目状に配置された複数の第２ライン部を含み、遮光性および導電性を有する第２導線と、を備え、前記第２導線には、前記第２ライン部を電気的に分断するための複数の第２分断部が設けられており、前記第１導線は、前記第１ライン部から突出し且つ前記導電性パターン基板の一方の側から見た場合に前記第２導線の前記第２分断部と重なる位置を延びる第１突出部をさらに含む、導電性パターン基板である。
【００１１】
第５の本発明は、導電性パターン基板であって、第１の基材と、前記第１の基材に網目状に配置された複数の第１ライン部を含み、遮光性および導電性を有する第１導線と、前記第１の基材と向かい合うよう配置された第２の基材と、前記第２の基材に網目状に配置された複数の第２ライン部を含み、遮光性および導電性を有する第２導線と、を備え、前記第２導線には、前記第２ライン部を電気的に分断するための複数の第２分断部が設けられており、前記第１導線は、前記第１ライン部から突出し且つ前記導電性パターン基板の一方の側から見た場合に前記第２導線の前記第２分断部と重なる位置を延びる第１突出部をさらに含む、導電性パターン基板である。
【００１２】
第１、第４または第５の本発明による導電性パターン基板において、前記第１ライン部は、前記導電性パターン基板の一方の側から見た場合に、前記第２分断部とずれて配置されていてもよい。
【００１３】
第１、第４または第５の本発明による導電性パターン基板において、前記第２分断部は、当該第２分断部に分断された二つの第２ライン部と、当該第２分断部の両側に位置して前記二つの第２ライン部とそれぞれ交差し且つ隣り合って設けられた他の二つの第２ライン部と、の交点の中間からずれた位置に設けられていてもよい。
【００１４】
本発明による導電性パターン基板において、前記第１導線及び前記第２導線は、導電性パターン基板の板面への法線方向に沿って、ずれて配置されていてもよい。
【００１５】
本発明による導電性パターン基板において、前記導電性パターン基板の一方の側から見た場合に、前記第１導線の第１突出部は、前記第２導線の前記第２ライン部と部分的に重なっていてもよい。
【００１６】
本発明による導電性パターン基板において、前記第１導線には、前記第１ライン部を電気的に分断するための複数の第１分断部が設けられていてもよい。この場合、前記導電性パターン基板の一方の側から見た場合に、前記第１導線の前記複数の第１分断部の少なくとも一部は、前記第２導線の前記第２ライン部と部分的に重なっており、前記第２導線は、前記第１導線の前記第１分断部と重なる位置において、前記第２ライン部が延びる方向とは交差する方向で前記第２ライン部から突出した第２突出部をさらに含んでいてもよい。
【００１７】
本発明による導電性パターン基板において、前記第１導線は、前記導電性パターン基板の一方の側から見た場合に前記第１導線の前記第１ライン部と前記第２導線の前記第２ライン部とが重なる位置において、前記第１ライン部が延びる方向とは交差する方向で前記第１ライン部から突出した第１突出部をさらに含んでいてもよい。
【００１８】
本発明による導電性パターン基板において、前記導電性パターン基板は、タッチパネル基板として機能するものであってもよい。この場合、前記複数の第１導線によって、第１電極方向に延びる複数の第１電極と、前記第１電極の間に配置された複数の第１ダミー部と、が構成され、前記複数の第２導線によって、前記第１電極方向と交差する第２電極方向に延びる複数の第２電極と、前記第２電極の間に配置された複数の第２ダミー部と、が構成され、前記第２分断部は、前記第２電極を構成する前記第２ライン部と前記第２ダミー部を構成する前記第２ライン部との間、または、前記第２ダミー部を構成する前記第２ライン部同士の間に位置している。
【発明の効果】
【００１９】
本発明において、導電性パターン基板の他方の側に位置する第２導線には、第２ライン部を電気的に分断するための複数の第２分断部が設けられている。導電性パターン基板の一方の側から見た場合に、第２導線の複数の第２分断部の少なくとも一部は、導電性パターン基板の一方の側に位置する第１導線の第１ライン部と部分的に重なっている。また第１導線は、第２導線の第２分断部と重なる位置において、第１ライン部が延びる方向とは交差する方向で第１ライン部から突出した第１突出部を含んでいる。この場合、第２分断部が設けられている領域において、光は、少なくとも部分的に第１ライン部および第１突出部によって遮蔽されることになる。このため、第２分断部を設けることに起因する光の透過率の上昇の程度を小さくすることができる。従って、電極が設けられている領域における光の透過率と、分断部を含む領域における光の透過率との差が大きくなることを抑制することができる。また、第２分断部に起因するモアレが生じてしまうことを抑制することができる。
【図面の簡単な説明】
【００２０】
【図１】図１は、本発明の実施の形態におけるタッチ位置検出機能付き表示装置を示す展開図。
【図２】図２は、図１のタッチ位置検出機能付き表示装置におけるタッチパネル基板を示す平面図。
【図３Ａ】図３Ａは、第１電極および第１ダミー部を拡大して示す平面図。
【図３Ｂ】図３Ｂは、図３Ａにおいて符号IIIBが付された二点鎖線で囲まれた部分おける第１電極および第１ダミー部をさらに拡大して示す平面図。
【図４Ａ】図４Ａは、第２電極および第２ダミー部を拡大して示す平面図。
【図４Ｂ】図４Ｂは、図４Ａにおいて符号IVBが付された二点鎖線で囲まれた部分における第２電極および第２ダミー部をさらに拡大して示す平面図。
【図５Ａ】図５Ａは、図３Ａに示す第１電極および第１ダミー部並びに図４Ａに示す第２電極および第２ダミー部を重ねて示す平面図。
【図５Ｂ】図５Ｂは、図５Ａにおいて符号VBが付された二点鎖線で囲まれた部分を拡大して示す平面図。
【図６】図６は、図５Ｂに示す第１導線の第１突出部を拡大して示す平面図。
【図７】図７は、第１導線の第１ライン部の幅の算出方法の一例を示す図。
【図８】図８は、タッチパネル基板を図５ＢのVI線に沿って切断した場合を示す断面図。
【図９】図９は、タッチパネル基板を図５ＢのVII線に沿って切断した場合を示す断面図。
【図１０】図１０（ａ）〜（ｅ）は、タッチパネル基板の製造方法を説明するための図。
【図１１】図１１は、第１導線の第１突出部の一変形例を示す平面図。
【図１２】図１２は、第１導線の第１突出部の一変形例を示す平面図。
【図１３】図１３は、第２導線の第２ライン部と重なる位置に設けられた第１導線の第１突出部を示す平面図。
【図１４】図１４（ａ）は、第１感光層を露光するための第１露光マスクのパターンの一例を示す平面図、図１４（ｂ）は、図１４（ａ）に示す第１露光マスクを用いた露光によってパターニングされた第１感光層をレジストとして第１金属層をエッチングすることによって得られる第１導線のパターンの一例を示す平面図。
【図１５】図１５は、導線のパターンの一変形例を示す平面図。
【図１６】図１６は、図３Ｂに対応する図であって、第１導線のパターンの一変形例を示す平面図。
【図１７】図１７は、図４Ｂに対応する図であって、第２導線のパターンの一変形例を示す平面図。
【図１８】図１８は、図１６の第１導線と図１７の第２導線を重ねて示す平面図。
【図１９】図１９は、図３Ｂに対応する図であって、第１電極のパターンの他の変形例を示す平面図。
【図２０】図２０は、図４Ｂに対応する図であって、第２電極のパターンの他の変形例を示す平面図。
【図２１】図２１は、図１９の第１導線と図２０の第２導線を重ねて示す平面図。
【図２２】図２２は、ダミー部の配置の一変形例を示す平面図。
【図２３Ａ】図２３Ａは、タッチパネル基板の層構成の一変形例を示す断面図。
【図２３Ｂ】図２３Ｂは、図２３Ａに示すタッチパネル基板の貼り合わせの形態の一変形例を示す断面図。
【図２３Ｃ】図２３Ｃは、図２３Ａに示すタッチパネル基板の貼り合わせの形態の一変形例を示す断面図。
【図２４】図２４は、タッチパネル基板の電極の一変形例を示す平面図。
【発明を実施するための形態】
【００２１】
以下、図１乃至図１０（ａ）〜（ｅ）を参照して、本発明の実施の形態の一例について説明する。なお、本明細書に添付する図面においては、図示と理解のしやすさの便宜上、適宜縮尺および縦横の寸法比等を、実物のそれらから変更し誇張してある。また本明細書において、「基板」、「基材」、「シート」や「フィルム」など用語は、呼称の違いのみに基づいて、互いから区別されるものではない。例えば、「基板」や「基材」は、シートやフィルムと呼ばれ得るような部材も含む概念である。さらに、本明細書において用いる、形状や幾何学的条件並びにそれらの程度を特定する、例えば、「平行」や「直交」等の用語や長さや角度の値等については、厳密な意味に縛られることなく、同様の機能を期待し得る程度の範囲を含めて解釈することとする。
【００２２】
本実施の形態においては、導電性を有するパターンが設けられた導電性パターン基板が、外部の導体の接近を検出するタッチパネル基板として機能するものである例について説明する。はじめに、導電性パターン基板によって構成されたタッチパネル基板が組み込まれた表示装置（以下、タッチ位置検出機能付き表示装置とも称する）について説明する。
【００２３】
タッチパネル装置およびタッチ位置検出機能付き表示装置
図１に示すように、タッチ位置検出機能付き表示装置１０は、液晶ディスプレイや有機ＥＬディスプレイなどの表示装置１５と、表示装置１５の観察者側に配置されたタッチパネル基板３０と、を組み合わせることによって構成されている。表示装置１５は、表示面１６ａを有する表示パネル１６と、表示パネル１６に接続された表示制御部（図示せず）と、を有している。表示パネル１６は、映像を表示することができる矩形状のアクティブエリアＡ１と、アクティブエリアＡ１を取り囲むようにしてアクティブエリアＡ１の外側に配置された非アクティブエリア（額縁領域とも呼ばれる）Ａ２と、を含んでいる。表示制御部は、表示されるべき映像に関する情報を処理し、映像情報に基づいて表示パネル１６を駆動する。表示パネル１６は、表示制御部の制御信号に基づいて、所定の映像を表示面１６ａに表示する。すなわち、表示装置１５は、文字や図等の情報を映像として出力する出力装置としての役割を担っている。
【００２４】
タッチパネル基板３０は、表示装置１５の表示面１６ａに、例えば接着層（図示せず）を介して接着されている。図１において、タッチパネル基板３０のうち観察者側に位置する面に符号３０ａが付され、表示装置１５側に位置する面に符号３０ｂが付されている。
なお図示はしないが、タッチパネル基板３０の観察者側には、タッチパネル基板３０や表示装置１５を保護するための保護カバーが設けられていてもよい。
【００２５】
タッチパネル基板
次に図２を参照して、タッチパネル基板３０について説明する。図２は、観察者側から見た場合のタッチパネル基板３０を示す平面図である。
【００２６】
ここでは、タッチパネル基板３０が、投影型の静電容量結合方式のタッチパネル基板として構成される例について説明する。なお、「容量結合」方式は、タッチパネルの技術分野において「静電容量」方式や「静電容量結合」方式等とも呼ばれており、本件では、これらの「静電容量」方式や「静電容量結合」方式等と同義の用語として取り扱う。典型的な静電容量結合方式のタッチパネル基板は、透光性を有する導電性のパターンを有しており、外部の導体（典型的には人間の指）がタッチパネル基板に接近することにより、外部の導体とタッチパネル基板の導電性のパターンとの間でコンデンサ（静電容量）が形成される。そして、このコンデンサの形成に伴った電気的な状態の変化に基づき、タッチパネル基板上において外部導体が接近している位置の位置座標が特定される。なお本実施の形態によるタッチパネル基板３０において採用されている、後述する技術思想は、自己容量方式または相互容量方式のいずれにも対応可能である。
【００２７】
（第１電極および第２電極）
図２に示すように、タッチパネル基板３０は、タッチパネル基板３０の一方の側（観察者側）に設けられ、第１電極方向Ｄ１に延びる複数の第１電極４１と、タッチパネル基板３０の他方の側（表示装置１５側）に設けられ、第１電極方向Ｄ１と交差する第２電極方向Ｄ２に沿って延びる複数の第２電極４６と、を備えている。なお図２においては図示を省略しているが、タッチパネル基板３０は、タッチパネル基板３０の一方の側において第１電極４１の間に設けられた複数の第１ダミー部４２と、タッチパネル基板３０の他方の側において第２電極４６の間に設けられた複数の第２ダミー部４７と、をさらに備えている。本実施の形態において、第１電極４１および第１ダミー部４２は、基材３２の第１面（観察者側の面）３２ａ上に設けられている。また第２電極４６および第２ダミー部４７は、基材３２の第２面（表示装置１５側の面）３２ｂ上に設けられている。なお図２においては、基材３２の第１面３２ａ側に設けられている構成要素が実線で表され、基材３２の第２面３２ｂ側に設けられている構成要素が点線で表されている。後述するように、第１電極４１、第１ダミー部４２、第２電極４６および第２ダミー部４７はいずれも、金属材料を含む導線によって構成されている。
【００２８】
相互容量方式が採用される場合、第１電極４１および第２電極４６の一方が駆動電極になり、他方が、駆動電極からの信号電圧が印加される検出電極となる。例えば、タッチパネル基板３０の観察者側に設けられた第１電極４１が検出電極になり、タッチパネル基板３０の表示装置１５側に設けられた第２電極４６が駆動電極になる。
【００２９】
第１電極４１は、第１電極方向Ｄ１に沿って並べられた複数の第１膨出部４１ａと、隣接する２つの第１膨出部４１ａを接続するよう第１電極方向Ｄ１に延びる第１線状部４１ｂと、を含んでいる。第１膨出部４１ａとは、第１電極方向Ｄ１と交差する第２電極方向Ｄ２における寸法が、第２電極方向Ｄ２における第１線状部４１ｂの寸法よりも大きくなっている部分のことである。また第２電極４６は、第２電極方向Ｄ２に沿って並べられた複数の第２膨出部４６ａと、隣接する２つの第２膨出部４６ａを接続するよう第２電極方向Ｄ２に延びる第２線状部４６ｂと、を含んでいる。第２膨出部４６ａとは、第２電極方向Ｄ２と交差する第１電極方向Ｄ１における寸法が、第１電極方向Ｄ１における第２線状部４６ｂの寸法よりも大きくなっている部分のことである。
【００３０】
図２に示すように、タッチパネル基板３０は、タッチ位置を検出され得る領域に対応する矩形状のアクティブエリアＡａ１と、アクティブエリアＡａ１の周辺に位置する矩形枠状の非アクティブエリアＡａ２と、を含んでいる。アクティブエリアＡａ１および非アクティブエリアＡａ２はそれぞれ、表示パネル１６のアクティブエリアＡ１および非アクティブエリアＡ２に対応して区画されたものである。矩形状のアクティブエリアＡａ１の輪郭は、第１電極方向Ｄ１に延びる長辺３１ａと、第２電極方向Ｄ２に延びる短辺３１ｂと、を含んでいる（図１参照）。第１電極方向Ｄ１および第２電極方向Ｄ２は、アクティブエリアＡａ１の輪郭を構成する長辺３１ａおよび短辺３１ｂによって画定される。アクティブエリアＡａ１の輪郭が、表示装置１５において一般に採用される矩形状である場合、長辺３１ａによって画定される第１電極方向Ｄ１と、短辺３１ｂによって画定される第２電極方向Ｄ２とが直交することになる。
【００３１】
上述の第１電極４１、第１ダミー部４２、第２電極４６および第２ダミー部４７は、アクティブエリアＡａ１内に配置されている。また非アクティブエリアＡａ２のうち基材３２の第１面３２ａ上には、各第１電極４１に電気的に接続された複数の第１額縁配線４３と、基材３２の外縁近傍に配置され、各第１額縁配線４３に電気的に接続された複数の第１端子部４４と、が設けられている。さらに、非アクティブエリアＡａ２のうち基材３２の第２面３２ｂ上には、各第２電極４６に電気的に接続された複数の第２額縁配線４８と、基材３２の外縁近傍に配置され、各第２額縁配線４８に電気的に接続された複数の第２端子部４９と、が設けられている。
【００３２】
信号を適切に伝達することができる限りにおいて、第１額縁配線４３および第１端子部４４並びに第２額縁配線４８および第２端子部４９の具体的な構成が特に限られることはない。例えば第１額縁配線４３および第１端子部４４は、第１電極４１や第１ダミー部４２を構成する後述する第１導線５０と同一の層構成で第１導線５０と同時に形成されるものであってもよい。同様に、第２額縁配線４８および第２端子部４９は、第２電極４６や第２ダミー部４７を構成する後述する第２導線５５と同一の層構成で第２導線５５と同時に形成されるものであってもよい。
【００３３】
（基材）
基材３２を構成する材料としては、例えば、ポリエチレンテレフタレート（ＰＥＴ）、シクロオレフィンポリマー（ＣＯＰ）やガラスなど、十分な透光性を有する材料が用いられる。基材３２が例えばＰＥＴを含む場合、ＰＥＴの厚みは例えば１００〜２００μｍの範囲内になっている。なお電極４１，４６やダミー部４２，４７を適切に保持することができる限りにおいて、基材３２の具体的な構成が特に限られることはない。例えば、ＰＥＴ層などの表面に設けられたハードコート層がさらに基材３２に含まれていてもよい。すなわち本実施の形態において、基材３２とは、何らかの具体的な構造や材料を意味するものではなく、タッチパネル基板３０を構成する第１電極４１や第２電極４６などのパターンの下地となるものを意味するに過ぎない。
【００３４】
（第１電極および第１ダミー部の詳細について）
次に図３Ａおよび図３Ｂを参照して、第１電極４１および第１ダミー部４２について説明する。図３Ａは、タッチパネル基板３０の一方の側から見た場合の第１電極４１および第１ダミー部４２を拡大して示す平面図であり、図３Ｂは、図３Ａにおいて符号IIIBが付された二点鎖線で囲まれた部分における第１電極４１および第１ダミー部４２をさらに拡大して示す平面図である。
【００３５】
図３Ａおよび図３Ｂに示すように、タッチパネル基板３０の一方の側には、複数の第１ライン部５１を含み、遮光性および導電性を有する第１導線５０が設けられている。複数の第１ライン部５１は、第１ライン部５１の間に第１開口部５２が形成されるよう網目状に配置されている。図示された例では、第１ライン部５１が、第１方向Ｍ１に延び、第１方向Ｍ１に交差する方向に間隔をあけて、とりわけ等間隔で規則的に、並べられた導線と、第１電極方向Ｄ１に交差する第２方向Ｍ２に延び、第２方向Ｍ２に交差する方向に間隔をあけて、とりわけ等間隔で規則的に、並べられた導線と、からなる例について説明する。言い換えると、第１導線５０は、第１方向Ｍ１と非平行な配列方向に配列された複数の第１ライン部５１の群と、第２方向Ｍ２と非平行な配列方向に配列された複数の第１ライン部５１の群と、を有しており、各第１ライン部５１は、分岐を含まず且つ一対の端部の間を延びる線状の導線となっている。図３Ａにおいて、符号Ｐ１およびＰ２はそれぞれ、第１方向Ｍ１および第２方向Ｍ２における第１ライン部５１の配列ピッチを表している。このような複数の第１ライン部５１を含む第１導線５０によって、第１電極４１および第１ダミー部４２が構成されている。
【００３６】
図３Ａおよび図３Ｂに示す例において、複数の第１ライン部５１は、第１開口部５２の形状が菱形の形状になるように配置されている。すなわち、第１方向Ｍ１と第２方向Ｍ２とは互いに直交しないように設定されている。また、菱形の内角のうち鋭角になる内角が第１電極方向Ｄ１に沿って並び、菱形の内角のうち鈍角になる内角が第２電極方向Ｄ２に沿って並ぶよう、第１ライン部５１が構成されている。しかしながら、第１開口部５２によって占められる面積の比率（以下、開口率とも称する）が十分に高くなり、これによって、表示装置１５からの映像光が適切な透過率でタッチパネル基板３０のアクティブエリアＡａ１を透過することができる限りにおいて、第１開口部５２の形状や寸法が特に限られることはない。例えば、図示はしないが、第１方向Ｍ１と第２方向Ｍ２とが互いに直交するように設定されていてもよい。
【００３７】
好ましくは、第１導線５０の第１ライン部５１が延びる第１方向Ｍ１および第２方向Ｍ２は、第１電極方向Ｄ１および第２電極方向Ｄ２に平行または直交しないよう設定される。通常、第１電極方向Ｄ１および第２電極方向Ｄ２は、タッチパネル基板３０と組み合される表示装置１５やカラーフィルタの画素の配列方向に平行または直交している。従って、第１方向Ｍ１および第２方向Ｍ２を、第１電極方向Ｄ１および第２電極方向Ｄ２に対して傾斜させることにより、第１ライン部５１の周期と画素の周期との干渉に起因してモアレが生じてしまうことを抑制することができる。
【００３８】
第１ライン部５１の線幅は、求められる開口率などに応じて設定されるが、例えば第１ライン部５１の幅は１〜１０μｍの範囲内、より好ましくは２〜７μｍの範囲内に設定されている。これによって、観察者が視認する映像に対して第１ライン部５１が及ぼす影響を、無視可能な程度まで低くすることができる。
【００３９】
第１ライン部５１を含む第１導線５０は、後述するように、金属材料からなる第１金属層６１を含んでいる。第１導線５０に含まれる金属材料としては、例えば、銀、銅、アルミニウムまたはこれらの合金等を挙げることができる。第１ライン部５１を含む第１導線５０の厚みは、第１電極４１に対して求められる電気抵抗値などに応じて適宜設定されるが、例えば０．１〜２．０μｍの範囲内となっている。
【００４０】
図３Ａおよび図３Ｂに示すように、第１電極４１を構成する第１ライン部５１と第１ダミー部４２を構成する第１ライン部５１との間には、複数の第１分断部５３が設けられている。このような第１分断部５３を設けることにより、第１電極４１と第１ダミー部４２との間を電気的に分断して絶縁することができる。通常は、１つの第１分断部５３を挟んで隣接する２つの第１ライン部５１の一方を延長すると他方の第１ライン部５１に重なるよう、第１分断部５３および第１ライン部５１が構成されている。第１ライン部５１が延びる方向における第１分断部５３の寸法は、例えば１〜５００μｍの範囲内に設定される。
【００４１】
第１電極４１と第１ダミー部４２との間の境界部の形状、すなわち第１電極４１の輪郭は、第１電極４１と第１ダミー部４２との間の第１分断部５３の配置によって画定される。図３Ａおよび図３Ｂにおいて、タッチパネル基板３０の一方の側からタッチパネル基板３０を見た場合における、すなわち平面視における第１電極４１の輪郭が、符号Ｂ１が付された一点鎖線によって示されている。
【００４２】
また図３Ｂに示すように、第１ダミー部４２を構成する第１ライン部５１同士の間にも、複数の第１分断部５３が設けられていてもよい。なお図３Ａにおいては、第１ダミー部４２内の第１分断部５３が便宜上省略されている。
【００４３】
また図３Ｂに示すように、第１導線５０は、第１ライン部５１が延びる方向とは交差する方向で第１ライン部５１から突出した複数の第１突出部５４をさらに含んでいる。例えば図３Ｂに示すように、第１方向Ｍ１に延びる第１ライン部５１には、第１方向Ｍ１に交差する第２方向Ｍ２で第１ライン部５１から突出した第１突出部５４が設けられている。また、第２方向Ｍ２に延びる第１ライン部５１には、第２方向Ｍ２に交差する第１方向Ｍ１で第１ライン部５１から突出した第１突出部５４が設けられている。なお後述するように、第１突出部５４は、第２導線５５の第２分断部５８と重なる位置において第１突出部５４を設けることにより、第２分断部５８に起因する透過率の局所的な上昇やモアレを抑制するためのものである。透過率の局所的な上昇やモアレの抑制という目的を達成することができる限りにおいて、第１突出部５４が突出する方向が特に限られることはない。第１突出部５４の具体的な形状や寸法については後述する。なお図３Ａにおいては、第１突出部５４が便宜上省略されている。
【００４４】
図３Ｂにおいては、第１ライン部５１の両側でそれぞれ第１突出部５４が第１ライン部５１から突出する例が示されているが、これに限られることはない。図示はしないが、第１ライン部５１の一方の側のみで第１突出部５４が第１ライン部５１から突出していてもよい。
【００４５】
（第２電極および第２ダミー部の詳細について）
次に図４Ａおよび図４Ｂを参照して、第２電極４６および第２ダミー部４７について説明する。図４Ａは、タッチパネル基板３０の一方の側から見た場合の第２電極４６および第２ダミー部４７を拡大して示す平面図であり、図４Ｂは、図４Ａにおいて符号IVBが付された二点鎖線で囲まれた部分における第２電極４６および第２ダミー部４７をさらに拡大して示す平面図である。
【００４６】
第１導線５０の場合と同様に、タッチパネル基板３０の他方の側には、複数の第２ライン部５６を含み、遮光性および導電性を有する第２導線５５が設けられている。複数の第２ライン部５６は、第２ライン部５６の間に第２開口部５７が形成されるよう網目状に配置されている。図示された例では、第１導線５０の第１ライン部５１と同様に、第２導線５５の第２ライン部５６は、第１方向Ｍ１に延び、第１方向Ｍ１に交差する方向に間隔をあけて、とりわけ等間隔で規則的に、並べられた導線と、第１電極方向Ｄ１に交差する第２方向Ｍ２に延び、第２方向Ｍ２に交差する方向に間隔をあけて、とりわけ等間隔で規則的に、並べられた導線と、からなっている。言い換えると、第１導線５０は、第１方向Ｍ１と非平行な配列方向に配列された複数の第１ライン部５１の群と、第２方向Ｍ２と非平行な配列方向に配列された複数の第１ライン部５１の群と、を有しており、各第１ライン部５１は、分岐を含まず且つ一対の端部の間を延びる線状の導線となっている。このような複数の第２ライン部５６を含む第２導線５５によって、第２電極４６および第２ダミー部４７が構成されている。
【００４７】
第２ライン部５６を含む第２導線５５は、後述するように、金属材料からなる第２金属層６６を含んでいる。第２導線５５に含まれる金属材料としては、第１導線５０の場合と同様に、例えば、銀、銅、アルミニウムまたはこれらの合金等を挙げることができる。第２ライン部５６を含む第２導線５５の厚みは、第２電極４６に対して求められる電気抵抗値などに応じて適宜設定されるが、例えば０．１〜２．０μｍの範囲内となっている。
【００４８】
第１ライン部５１の場合と同様に、第２ライン部５６の寸法や形状が特に限られることはない。ここでは、第１ライン部５１の場合と同様に、第２電極４６および第２ダミー部４７が、第２開口部５７の形状が菱形の形状になるように複数の第２ライン部５６を配置することによって構成される例が示されている。
【００４９】
第２ライン部５６の線幅は、第１ライン部５１と同等に設定されてもよく、若しくは、第１ライン部５１とは異なるように設定されてもよい。本実施の形態においては、第１ライン部５１の線幅と第２ライン部５６の線幅とが同一である例について説明する。
【００５０】
図４Ａおよび図４Ｂに示すように、第２電極４６を構成する第２ライン部５６と第２ダミー部４７を構成する第２ライン部５６との間には、複数の第２分断部５８が設けられている。このような第２分断部５８を設けることにより、第２電極４６と第２ダミー部４７との間を電気的に分断して絶縁することができる。通常は、１つの第２分断部５８を挟んで隣接する２つの第２ライン部５６の一方を延長すると他方の第２ライン部５６に重なるよう、第２分断部５８および第２ライン部５６が構成されている。第２ライン部５６が延びる方向における第２分断部５８の寸法は、例えば１〜５００μｍの範囲内に設定される。
【００５１】
第２電極４６と第２ダミー部４７との間の境界部の形状、すなわち第２電極４６の輪郭は、第２電極４６と第２ダミー部４７との間の第２分断部５８の配置によって画定される。図４Ａおよび図４Ｂにおいて、平面視における第２電極４６の輪郭が、符号Ｂ２が付された一点鎖線によって示されている。
【００５２】
また図４Ｂに示すように、第２ダミー部４７を構成する第２ライン部５６同士の間にも、複数の第２分断部５８が設けられていてもよい。なお図４Ａにおいては、第２ダミー部４７内の第２分断部５８が便宜上省略されている。
【００５３】
また第１導線５０の場合と同様に、図４Ｂに示すように、第２導線５５は、第２ライン部５６が延びる方向とは交差する方向で第２ライン部５６から突出した複数の第２突出部５９をさらに含んでいてもよい。例えば図４Ｂに示すように、第１方向Ｍ１に延びる第２ライン部５６には、第１方向Ｍ１に交差する第２方向Ｍ２で第２ライン部５６から突出した第２突出部５９が設けられている。また、第２方向Ｍ２に延びる第２ライン部５６には、第２方向Ｍ２に交差する第１方向Ｍ１で第２ライン部５６から突出した第２突出部５９が設けられている。なお後述するように、第２突出部５９は、第１導線５０の第１分断部５３と重なる位置において第２突出部５９を設けることにより、第１分断部５３に起因する透過率の局所的な上昇やモアレを抑制するためのものである。透過率の局所的な上昇やモアレの抑制という目的を達成することができる限りにおいて、第２突出部５９が突出する方向が特に限られることはない。第２突出部５９の具体的な形状や寸法については後述する。なお図４Ａにおいては、第２突出部５９が便宜上省略されている。
【００５４】
図４Ｂにおいては、第２ライン部５６の両側でそれぞれ第２突出部５９が第２ライン部５６から突出する例が示されているが、これに限られることはない。図示はしないが、第２ライン部５６の一方の側のみで第２突出部５９が第２ライン部５６から突出していてもよい。
【００５５】
図５Ａは、図３Ａに示す第１電極４１および第１ダミー部４２並びに図４Ａに示す第２電極４６および第２ダミー部４７を重ねて示す平面図である。また図５Ｂは、図５Ａにおいて符号VBが付された二点鎖線で囲まれた部分を拡大して示す平面図である。なお図５Ａおよび図５Ｂにおいては、便宜上、タッチパネル基板３０の一方の側に設けられている、第１電極４１や第１ダミー部４２などの構成要素が、タッチパネル基板３０の他方の側に設けられている、第２電極４６や第２ダミー部４７などの構成要素よりも太い線で表されている。ここでは、図５Ａおよび図５Ｂに示すように、第１ライン部５１同士の交点５１ａと第２ライン部５６同士の交点５６ａとが互いに重ならないように第１ライン部５１および第２ライン部５６が配置されている例が示されている。
【００５６】
以下、第１分断部５３および第２分断部５８が存在する場合の課題について説明する。第１分断部５３が形成された位置では、光は、第１ライン部５１によって遮蔽されることなくタッチパネル基板３０の一方の側（第１面３０ａ側）の領域を通過する。同様に、第２分断部５８が形成された位置では、光は、第２ライン部５６によって遮蔽されることなくタッチパネル基板３０の他方の側（第２面３０ｂ側）の領域を通過する。従って、第１分断部５３や第２分断部５８が無秩序に配置される場合、第１分断部５３や第２分断部５８によって占められる領域の面積の分だけ、分断部５３，５８を含まない、電極４１，４６が設けられている領域における光の透過率と、分断部５３，５８を含む、ダミー部４２，４７が設けられている領域における光の透過率との差が大きくなってしまう。
【００５７】
例えば、タッチパネル基板３０のアクティブエリアＡａ１を、平面視において第１電極４１と第２電極４６とが重なる領域（以下、第１領域とも称する）、平面視において第１電極４１と第２ダミー部４７とが重なる領域または第２電極４６と第１ダミー部４２とが重なる領域（以下、第２領域とも称する）、および、平面視において第１ダミー部４２と第２ダミー部４７とが重なる領域（以下、第３領域とも称する）に分類して考える。この場合、第１領域においては、タッチパネル基板３０の一方の側および他方の側のいずれにも分断部５３，５８が存在しない。一方、第２領域においては、タッチパネル基板３０の一方の側および他方の側のいずれか一方に分断部５３，５８が存在する。また第３領域においては、タッチパネル基板３０の一方の側および他方の側の両方に分断部５３，５８が存在する。従って、第１分断部５３や第２分断部５８の位置が無秩序に設定される場合、第１領域における光の透過率Ｔ１、第２領域における光の透過率Ｔ２および第３領域における光の透過率Ｔ３は、Ｔ１＜Ｔ２＜Ｔ３という関係を示すようになる。例えば、第１ライン部５１および第２ライン部５６の開口率が９５％であり、基材３２における光の透過率が１００％であると仮定する場合、Ｔ１＝９５％、Ｔ２＝９６％、Ｔ３＝９７％というような透過率の分布になり得る。この場合、第１領域、第２領域および第３領域は、観察者によって比較的に容易に識別され得る。
【００５８】
また、合成樹脂を含む保護カバーがタッチパネル基板３０の観察者側に配置される場合、合成樹脂の比誘電率がガラスに比べて低いため、その分だけタッチパネル装置２０の検出感度が低下してしまう。このような問題を解決する方法の１つとして、平面視における第１電極４１と第２電極４６との間の間隔ｄを大きくすることが考えられる。なぜなら、間隔ｄを大きくすることにより、第１電極４１から第２電極４６に至る電気力線の経路がより観察者側にまで広がるようにすることができ、これによって、外部導体の接近や接触をより精度良く検出できるようになるからである。間隔ｄは、保護カバーを構成する材料の比誘電率や保護カバーの厚みに応じて適宜設定されるが、例えば０．１〜１ｍｍの範囲内に設定される。一方、平面視において第１電極４１と第２電極４６との間に位置することになる領域は、第１ダミー部４２と第２ダミー部４７とが重なる上述の第３領域である。従って、間隔ｄが大きくなることは、アクティブエリアＡａ１における上述の第３領域の面積の比率がより大きくなることを意味している。このことは、第１領域、すなわち電極４１，４６が観察者により視認され易くなってしまうことを導く可能性がある。
【００５９】
また、分断部５３，５８がライン部５１，５６の配列ピッチや電極４１，４６の配列ピッチに応じて規則的に並ぶ場合、分断部５３，５８に起因するモアレが生じてしまうことも考えられる。
【００６０】
このような課題に対しては、分断部に重なる位置に電極とは独立した（離間した）細い小パターンを設けることが考えられる。しかしながら、本件発明者らの実験の結果、このような小パターンはタッチパネル基板中から脱落しやすく、分断部を有効に不可視化できないことが判明した。さらに、細い小パターンは、その製造工程におけるエッチング工程において、その線幅を制御することが困難であり、エッチング工程によって線幅にむらができたり、脱落しやすかったりすることも判明した。その一方で、小パターンの脱落を防止するために小パターンの線幅を太くすると、当該線幅が太い小パターンの配置が連続的に観察されてしまい、その他の構成要素の周期との間の干渉によって、モアレが生じてしまう。
【００６１】
一方、本件発明者は、このような課題に対処するために、タッチパネル基板３０の一方の側から見た場合に、複数の第２分断部５８の少なくとも一部が第１ライン部５１に部分的に重なるよう、第１ライン部５１および第２分断部５８を配置することを提案する。さらに本件発明者は、タッチパネル基板３０の一方の側から見た場合に第２分断部５８と重なる位置において、上述の第１突出部５４を第１ライン部５１に設けることを提案する。ここで、第１突出部５４が設けられる第１ライン部５１とは、第１電極４１をなす第１ライン部及び第１ダミー部４２をなす第１ライン部の両方を含む。図６は、図５Ｂに示す第１導線５０の第１突出部５４およびその周囲の構成要素を拡大して示す平面図である。図６に示すように、第２導線５５の第２分断部５８には、第１導線５０の第１ライン部５１および第１突出部５４が重ねられている。すなわち、第２導線５５の第２分断部５８の位置において、第１導線５０の幅が他の部分の第１導線５０の幅よりも大きくなっている。これによって、第２分断部５８の位置において光がタッチパネル基板３０を透過してしまうことを抑制することができる。
【００６２】
図６に示すように、第１突出部５４は、タッチパネル基板３０の一方の側から見た場合に第１突出部５４と第２ライン部５６とが部分的に重なるよう、配置されていてもよい。これによって、第２分断部５８に起因して光の透過率が上昇してしまうことをさらに抑制することができる。なお図示はしないが、第１突出部５４は、タッチパネル基板３０の一方の側から見た場合に第１突出部５４と第２ライン部５６とが重ならないように構成および配置されていてもよい。この場合であっても、第１突出部５４が第２分断部５８を部分的に覆うことにより、第２分断部５８に起因して光の透過率が上昇してしまうことを抑制することができる。
【００６３】
図６に示す例において、第１ライン部５１の一方の側および他方の側において第２方向Ｍ２で第１ライン部５１からそれぞれ突出した第１突出部５４は、四角形状の形状を有している。図６において、符号ｖ１は、第１突出部５４が突出する方向において第１突出部５４と第２導線５５の第２ライン部５６とが重なっている領域の寸法を表している。寸法ｖ１は、好ましくは、製造公差に起因して第１突出部５４の位置や第２ライン部５６の位置が設計から逸脱してしまった場合であっても、タッチパネル基板３０の一方の側から見た場合に第１突出部５４と第２ライン部５６とが重なるよう、設定される。例えば寸法ｖ１は、１〜５μｍの範囲内に設定される。一例を挙げると、第１ライン部５１の幅ｗ１および第２ライン部５６の幅ｗ２がそれぞれ２μｍであり、第２方向Ｍ２における第２分断部５８の寸法が４μｍである場合、第１突出部５４と第２ライン部５６とが重なる寸法ｖ１が２μｍになるよう、第１突出部５４を設計することができる。
【００６４】
上述のように、第１突出部５４は、「第１導線５０の幅が他の部分（第１突出部５４が設けられていない部分）の第１導線５０の幅よりも大きくなっている部分」と言い換えることもできる。ここで「幅」の定義の一例について説明する。本実施の形態において、第１突出部５４は、図６に示すように、第２導線５５の第２分断部５８と重なる部分に配置される。図６において、第２導線５５のうち第１突出部５４と重なっている部分が点線で示されている。上述の図４Ｂに示すように、第２分断部５８は通常、２つの交点５６ａのほぼ中間位置に形成される。また上述の図５Ｂに示すように、第１ライン部５１は第２ライン部５６に対して通常、配列ピッチのほぼ半分に相当する距離だけずらして配置される。このため第１突出部５４は、２つの交点５１ａのほぼ中間位置に形成されることになる。このため、「他の部分（第１突出部５４が設けられていない部分）の第１導線５０の幅」としては、２つの交点５１ａのほぼ中間位置から離れた位置における第１導線５０の幅が採用されることが好ましい。
また後述するように、第１導線５０をウェットエッチングによって作製する場合、第１導線５０の幅は、交点５１ａの近傍において、その他の部分の幅よりも大きくなる傾向を有する。このため、「他の部分（第１突出部５４が設けられていない部分）の第１導線５０の幅」としては、交点５１ａから離れた位置における第１導線５０の幅が採用されることが好ましい。
これらの点を考慮し、本実施の形態においては、第１導線５０や第１ライン部５１の幅として、第１ライン部５１が延びる方向において交点５１ａから距離Ｒ０〜距離Ｒ１の範囲内にある領域Ｒ２（図７参照）における第１導線５０や第１ライン部５１の幅ｗ１の平均値を、第１導線５０や第１ライン部５１の幅の代表値として採用することにする。距離Ｒ０および距離Ｒ１はそれぞれ、例えば、第１ライン部５１の配列ピッチＰ１，Ｐ２の２０％および３０％に設定される。上述の「例えば１〜１０μｍの範囲内、より好ましくは２〜７μｍの範囲内」という数値は、領域Ｒ２における第１ライン部５１の幅ｗ１の平均値に関する数値である。
【００６５】
なお、第１ライン部５１を第２ライン部５６に対して配列ピッチのほぼ半分に相当する距離だけずらして配置することの利点としては、例えば以下の点を挙げることができる。
タッチパネル基板３０においては、製造公差に起因して、第１ライン部５１に対する第２ライン部５６の配置が設計からある程度ずれてしまうことが不可避である。従って、タッチパネル基板３０の設計は、第１ライン部５１に対する第２ライン部５６の配置が設計からある程度ずれてしまったとしてもタッチパネル基板３０の特性に大きな差が生じないようになされることが好ましい。
ここで、第１ライン部５１と第２ライン部５６とが重なるように第１ライン部５１および第２ライン部５６の配置が設計されていると仮定する。この場合、設計通りに製造されたタッチパネル基板３０においては、第１ライン部５１および第２ライン部５６の一方が他方によってほぼ覆われているので、第１ライン部５１および第２ライン部５６の他方に起因する反射光が観察者によって視認されるが、第１ライン部５１および第２ライン部５６の一方に起因する反射光は観察者によってほとんど視認されない。一方、ある程度の製造公差で製造されたタッチパネル基板３０においては、第１ライン部５１および第２ライン部５６の一方が他方から露出することになる。このため、第１ライン部５１および第２ライン部５６の一方に起因する反射光も観察者によって相当に視認されてしまう。このように、第１ライン部５１と第２ライン部５６とが重なるように第１ライン部５１および第２ライン部５６の配置が設計されている場合、製造公差に起因して、タッチパネル基板３０の反射特性が個体によって大きくばらついてしまう。
次に、第１ライン部５１と第２ライン部５６とが互いにずれるように第１ライン部５１および第２ライン部５６の配置が設計されていると仮定する。この場合、設計通りに製造されたタッチパネル基板３０、および、ある程度の製造公差で製造されたタッチパネル基板３０のいずれにおいても、第１ライン部５１および第２ライン部５６それぞれに起因する反射光が観察者によって相当に視認される。このため、製造公差に起因する、タッチパネル基板３０の反射特性の個体によるばらつきが小さくなっている。個体によるばらつきは通常、第１ライン部５１の配置と第２ライン部５６の配置とが最も大きくずれている場合、すなわち、第１ライン部５１が第２ライン部５６に対して配列ピッチの半分に相当する距離だけずれている場合に最小になる。
【００６６】
図６に示すように、好ましくは、第１突出部５４が突出する方向に直交する方向における第１突出部５４の幅は、第２分断部５８に隣接する第２ライン部５６の幅ｗ２よりも大きくなっている。これによって第２分断部５８を隙間なく第１突出部５４によって覆うことが可能になる。また、製造公差に起因して第１突出部５４の位置や第２ライン部５６の位置が設計から逸脱してしまった場合であっても、第２分断部５８を十分に第１突出部５４によって覆うことができる。
【００６７】
図８は、第２導線５５の第２ライン部５６が延びる方向に沿ってタッチパネル基板３０を切断した場合を示す断面図である。図８には、基材３２の第２面３２ｂ側の第２分断部５８が、基材３２の第１面３２ａ側の第１ライン部５１および第１突出部５４によって覆われる様子が示されている。
【００６８】
好ましくは、第１ライン部５１の場合と同様に、第２ライン部５６も、タッチパネル基板３０の一方の側から見た場合に、複数の第１分断部５３の少なくとも一部が第２ライン部５６に部分的に重なるよう、配置される。また、第１突出部５４の場合と同様に、タッチパネル基板３０の一方の側から見た場合に第１分断部５３と重なる位置において、上述の第２突出部５９が第２ライン部５６に設けられている。この場合においても、第２突出部５９が設けられる第２ライン部５６とは、第２電極４６をなす第２ライン部及び第２ダミー部４７をなす第２ライン部の両方を含む。図９は、第１導線５０の第１ライン部５１が延びる方向に沿ってタッチパネル基板３０を切断した場合を示す断面図である。図９には、基材３２の第１面３２ａ側の第１分断部５３が、基材３２の第２面３２ｂ側の第２ライン部５６および第２突出部５９によって覆われる様子が示されている。
【００６９】
本実施の形態によれば、第２分断部５８が設けられている領域において、光は、少なくとも部分的に第１導線５０の第１ライン部５１および第１突出部５４によって遮蔽されることになる。同様に、第１分断部５３が設けられている領域において、光は、少なくとも部分的に第２導線５５の第２ライン部５６および第２突出部５９によって遮蔽されることになる。このため、第１分断部５３または第２分断部５８が設けられている上述の第２領域や第３領域における光の透過率Ｔ２，Ｔ３と、第１分断部５３および第２分断部５８が存在しない上述の第１領域における光の透過率Ｔ１との差が大きくなってしまうことを抑制することができる。このことにより、電極４１，４６が観察者に視認されてしまうことを抑制することができる。また、ライン部５１，５６の配列ピッチや電極４１，４６の配列ピッチに応じて規則的に並ぶ分断部５３，５８が、モアレを生じさせてしまうことを抑制することができる。
【００７０】
また本実施の形態によれば、第３領域における光の透過率Ｔ３と第１領域における光の透過率Ｔ１との差を小さくすることができるので、比誘電率の低い合成樹脂を含む保護カバーが用いられる場合に、タッチパネル装置２０の検出感度向上という目的を重視して第１電極４１と第２電極４６との間の間隔ｄを大きく設定する、という構成を採用することが可能になる。従って、電極４１，４６が視認されることが抑制され、かつ十分な検出感度が達成されたタッチパネル装置２０を提供することができる。
【００７１】
好ましくは、平面視において第１ダミー部４２と第２ダミー部４７とが重なる上述の第３領域には、第１分断部５３が第２ライン部５６と少なくとも部分的に重なっている部分、および、第２分断部５８が第１ライン部５１と少なくとも部分的に重なっている部分の両方が存在している。これによって、第１領域における光の透過率Ｔ１と第３領域における光の透過率Ｔ３との差をより小さくすることができる。
【００７２】
タッチパネル基板の製造方法
次に、以上のような構成からなるタッチパネル基板３０を製造する方法について、図１０（ａ）〜（ｅ）を参照して説明する。
【００７３】
はじめに図１０（ａ）に示すように、タッチパネル基板３０を作製するための元材としての積層体６０（ブランクとも呼ばれる）を準備する。積層体６０は、基材３２と、基材３２の第１面３２ａ上に設けられ、遮光性および導電性を有する第１金属層６１と、基材３２の第２面３２ｂ上に設けられ、遮光性および導電性を有する第２金属層６６と、を備えている。基材３２の各面３２ａ，３２ｂ上に金属層６１，６６を設ける方法が特に限られることはなく、蒸着法やスパッタリング法などの公知の方法が適宜用いられ得る。
【００７４】
次に図１０（ｂ）に示すように、第１金属層６１上に第１感光層７１を設け、かつ、第２金属層６６上に第２感光層７６を設ける。第１感光層７１および第２感光層７６は、特定波長域の光、例えば紫外線に対する感光性を有している。感光層７１，７６のタイプが特に限られることはない。例えば光硬化型の感光層が用いられてもよく、若しくは光溶解型の感光層が用いられてもよい。ここでは、光硬化型の感光層が用いられる例について説明する。第１金属層６１上および第２金属層６６上に第１感光層７１および第２感光層７６を設ける方法としては、例えば、ドライフィルムレジストを第１金属層６１上および第２金属層６６上にそれぞれ貼付するという方法や、感光材を第１金属層６１上および第２金属層６６上にそれぞれ塗布するという方法を採用することができる。
【００７５】
（露光工程）
その後、図１０（ｂ）に示すように、所定のパターンで遮光部７２ａおよび開口部７２ｂが形成された第１露光マスク７２を第１感光層７１の近傍に設置し、かつ、所定のパターンで遮光部７７ａおよび開口部７７ｂが形成された第２露光マスク７７を第２感光層７６の近傍に設置する。第１露光マスク７２の遮光部７２ａのパターンは、第１開口部５２および第１分断部５３のパターンに対応しており、第１露光マスク７２の開口部７２ｂのパターンは、第１ライン部５１および第１突出部５４のパターンに対応している。また第２露光マスク７７の遮光部７７ａのパターンは、第２開口部５７および第２分断部５８のパターンに対応しており、第２露光マスク７７の開口部７７ｂのパターンは、第２ライン部５６および第２突出部５９のパターンに対応している。次に、第１露光マスク７２に対する第２露光マスク７７の相対位置を調整する。例えば、第１露光マスク７２または第２露光マスク７７のいずれか一方の露光マスクに形成されているアライメントマークを基準として、他方の露光マスクの位置を調整する。若しくは、基材３２などに設けられている同一のアライメントマークを共通に用いて、第１露光マスク７２および第２露光マスク７７の位置を調整する。これによって、第１露光マスク７２に対して高い位置精度で第２露光マスク７７を配置することができる。その後、第１露光マスク７２を介して第１感光層７１に所定のパターンで露光光を照射し、かつ、第２露光マスク７７を介して第２感光層７６に所定のパターンで露光光を照射する露光工程を実施する。なお、第１感光層７１に対する露光光の照射と、第２感光層７６に対する露光光の照射は、同時に実施されてもよく、異なるタイミングで実施されてもよい。
【００７６】
（現像工程）
次に、第１感光層７１および第２感光層７６を現像する。これによって、図１０（ｃ）に示すように、パターニングされた第１感光層７１および第２感光層７６を得ることができる。
【００７７】
（エッチング工程）
その後、図１０（ｄ）に示すように、第１感光層７１をレジストとして第１金属層６１をウェットエッチングする。これによって、第１電極４１および第１ダミー部４２の第１導線５０に対応するパターンで第１金属層６１をパターニングすることができる。また、第２感光層７６をレジストとして第２金属層６６をウェットエッチングする。これによって、第２電極４６および第２ダミー部４７の第２導線５５に対応するパターンで第２金属層６６をパターニングすることができる。次に、図１０（ｅ）に示すように、感光層７１，７６を除去する。このようにして、上述のタッチパネル基板３０を得ることができる。
【００７８】
なお図示はしないが、第１導線５０および第２導線５５には、第１導線５０および第２導線５５による光の反射を抑制するための低反射処理が施されていてもよい。例えば第１導線５０の表面には、黒化処理が施されていてもよい。また、第２導線５５は、金属材料からなる層に加えて、金属材料からなる層と基材３２の第２面３２ｂとの間に設けられた低反射層をさらに含んでいてもよい。
【００７９】
本実施の形態によれば、第１導線５０は、第２導線５５の第２分断部５８と重なる位置において、第１ライン部５１が延びる方向とは交差する方向で第１ライン部５１から突出した第１突出部５４を含んでいる。また第２導線５５は、第１導線５０の第１分断部５３と重なる位置において、第２ライン部５６が延びる方向とは交差する方向で第２ライン部５６から突出した第２突出部５９を含んでいる。このため、分断部５３，５８を設けることに起因する光の透過率の上昇の程度を小さくすることができる。従って、分断部５３，５８を含まない領域における光の透過率と、分断部５３，５８を含む領域における光の透過率との差が大きくなることを抑制することができる。このことにより、電極４１，４６が観察者に視認されてしまうことを抑制することができる。また、規則的に並ぶ分断部５３，５８がモアレを生じさせてしまうことを抑制することができる。
【００８０】
また本実施の形態によれば、露光工程において、第１露光マスク７２に対する第２露光マスク７７の相対位置が調整される。このため、基材３２の第１面３２ａ側に設けられる第１ライン部５１、第１突出部５４や第１分断部５３に対する、基材３２の第２面３２ｂ側に設けられる第２ライン部５６、第２突出部５９や第２分断部５８の相対的な位置精度を高めることができる。従って、第１ライン部５１および第１突出部５４と第２分断部５８とを精度良く重ねることができ、また、第２ライン部５６および第２突出部５９と第１分断部５３とを精度良く重ねることができる。このことにより、分断部５３，５８を設けることに起因する光の透過率の上昇の程度をより小さくすることができる。
【００８１】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００８２】
（第１突出部の形状の変形例）
上述の本実施の形態においては、第１ライン部５１から突出した第１突出部５４が四角形状の形状を有する例を示した。しかしながら、分断部５３，５８を設けることに起因する光の透過率の上昇の程度を低減することができる限りにおいて、第１突出部５４の具体的な形状が特に限られることはない。例えば図１１に示すように、第１ライン部５１から突出した第１突出部５４は、半円状の形状を有していてもよい。また図１２に示すように、第１ライン部５１から突出した第１突出部５４は、三角形状の形状を有していてもよい。第２突出部５９の形状についても同様である。
【００８３】
（第１突出部の配置の変形例）
上述の本実施の形態においては、第１突出部５４が、第２導線５５の第２分断部５８と重なる位置に配置される例を示した。しかしながら、これに限られることはなく、図１３に示すように、第１突出部５４は、タッチパネル基板３０の一方の側から見た場合に第１ライン部５１と第２ライン部５６とが重なる位置において、第１ライン部５１が延びる方向とは交差する方向で第１ライン部５１から突出するよう配置されていてもよい。言い換えると、第２分断部５８が設けられていない場所において第１突出部５４が設けられていてもよい。この場合、好ましくは、タッチパネル基板３０の一方の側から見た場合に第１突出部５４が第２ライン部５６に重なるか、若しくは第１突出部５４が第２ライン部５６に隣接するよう、第１突出部５４が配置される。例えば、第２電極４６を構成する第２ライン部５６に第１突出部５４が重なるよう、第１突出部５４が配置される。以下、このように第１突出部５４を配置することの理由について説明する。
【００８４】
はじめに、ウェットエッチングによって金属層６１，６６をパターニングして導線５０，５５を作製する場合に金属層６１，６６上に形成される感光層７１，７６を露光するための露光マスク７２，７７の具体的なパターンの例について説明する。図１４（ａ）は、第１感光層７１を露光するための第１露光マスク７２のパターンの一例を示す平面図である。ここでは、第１ライン部５１の交点５１ａとなる部分およびその周辺の部分に照射される露光光を生成するための第１露光マスク７２のパターンについて具体的に説明する。図１４（ａ）に示すように、第１露光マスク７２は、第１ライン部５１に対応するパターンで線状に延びる複数の開口部７２ｂと、線状に延びる開口部７２ｂを画定するように広がる遮光部７２ａと、を含んでいる。図１４（ａ）において、異なる方向に線状に延びる開口部７２ｂが互いに接続される部分（以下、接続部分とも称する）が符号７２ｋで表され、また線状に延びる開口部７２ｂの交点が符号７２ｃで表されている。図１４（ａ）に示す例において、第１露光マスク７２の線状に延びる開口部７２ｂは、交点７２ｃからの距離に依らず同一の幅ｓを有している。
【００８５】
図１４（ｂ）は、図１４（ａ）に示す第１露光マスク７２を用いて露光することにより得られた第１感光層７１をレジストとして第１金属層６１をウェットエッチングすることによって得られる第１ライン部５１のパターンの一例を示す平面図である。図１４（ｂ）に示すように、異なる方向に延びる第１ライン部５１が互いに接続される接続部分５１ｋの形状は、第１露光マスク７２の対応する接続部分７２ｋの形状とは異なっている。具体的には、第１ライン部５１の接続部分５１ｋは、第１露光マスク７２の接続部分７２ｋよりも広がった形状を有している。このことは、第１露光マスク７２を用いて第１感光層７１を露光する際に、第１感光層７１の解像性の限界のため、接続部分７２ｋの形状が完全には第１感光層７１に反映されず、第１露光マスク７２の接続部分７２ｋに対応する第１感光層７１の接続部分の形状が、図１４（ｂ）に示す第１ライン部５１の接続部分５１ｋのように鈍った形状になることに起因していると考えられる。また、第１金属層６１をウェットエッチングする際に、第１露光マスク７２の接続部分７２ｋに対応する第１感光層７１の接続部分のところにまでエッチング液が十分に侵入することができないことにも起因していると考えられる。接続部分５１ｋにおける第１金属層６１のエッチングが不完全なものであるため、図１４（ｂ）に示すように、交点５１ａの近傍における第１ライン部５１の幅ｗ１’が、交点５１ａから遠い部分における第１ライン部５１の幅ｗ１よりも大きくなってしまう。このことは、交点５１ａ近傍の領域における光の反射率が、交点５１ａから遠い領域における光の反射率よりも高くなり、この結果、交点５１ａが視認されやすくなる、ということを導く。このような光の反射率の上昇は、第２ライン部５６の交点５６ａにおいても同様に生じ得る。
【００８６】
タッチパネル基板３０の一方の側からタッチパネル基板３０を使用者が見た場合にライン部５１，５６が交わっているように見える場所としては、上述の交点５１ａおよび交点５６ａ以外にも、以下の（１）〜（３）の場所が考えられる。
（１）第１ライン部５１と第２ライン部５６とが交差する場所
（以下、立体交差点とも称する）
（２）第１分断部５３と第２ライン部５６とが重なる場所
（３）第１ライン部５１と第２分断部５８とが重なる場所
これらのうち（１）の場所については、交点５１ａ，５６ａとは異なり、ライン部５１，５６の幅の拡大が生じない。このため、立体交差点近傍における光の反射率は通常、交点５１ａ，５６ａ近傍における光の反射率よりも低くなる。
一方、（２）の場所においては、上述のように第２ライン部５６に第２突出部５９が取り付けられている。同様に、（３）の場所においては、上述のように第１ライン部５１に第１突出部５４が取り付けられている。このため、突出方向に直交する方向における第１突出部５４および第２突出部５９の幅が、第１ライン部５１および第２ライン部５６の幅よりも大きい場合、第１分断部５３および第２分断部５８の近傍における光の反射率は、交点５１ａおよび交点５６ａ近傍における光の反射率と同様に、その他の部分における光の反射率よりも高くなる。
この場合、ライン部５１，５６が交わっているように見える場所のうち、上述の立体交差点における光の反射率が、交点５１ａ，５６ａや分断部５３，５８などのその他の場所における光の反射率よりも低くなる。この結果、ライン部５１，５６が交わって見える場所の明るさにばらつきが生じ、目立ってしまうことが考えられる。
【００８７】
これに対して本変形例によれば、第２分断部５８の位置だけでなく立体交差点の位置にも第１突出部５４が配置されている。このため、ライン部５１，５６が交わって見える場所のうち、立体交差点における光の反射率を、交点５１ａ，５６ａや分断部５３，５８などのその他の場所における光の反射率と同等にすることができる。これによって、ライン部５１，５６が交わっているように見える場所の明るさにばらつきが生じてしまうことを抑制することができる。
【００８８】
なお図１３に示す例においては、第２分断部５８が設けられていない場所において第１突出部５４が設けられる例を示した。しかしながら、これに限られることはなく、図示はしないが、第１分断部５３が設けられていない場所において第２突出部５９が設けられていてもよい。すなわち、第２突出部５９は、タッチパネル基板３０の一方の側から見た場合に第１ライン部５１と第２ライン部５６とが重なる位置において、第２ライン部５６が延びる方向とは交差する方向で第２ライン部５６から突出するよう配置されていてもよい。この場合、好ましくは、タッチパネル基板３０の一方の側から見た場合に第２突出部５９が第１ライン部５１に重なるか、若しくは第２突出部５９が第１ライン部５１に隣接するよう、第２突出部５９が配置される。
【００８９】
（第１ライン部および第２ライン部の配列の変形例）
上述の実施の形態の形態においては、第１ライン部５１および第２ライン部５６がそれぞれ規則的に配置される例を示した。具体的には、第１ライン部５１の複数の交点５１ａおよび第２ライン部５６の複数の交点５６ａがそれぞれ所定の方向に沿って周期的に並ぶよう、第１ライン部５１および第２ライン部５６が配置される例を示した。しかしながら、図１５に示すように、第１ライン部５１は、複数の交点５１ａが不規則に並ぶように配置されていてもよい。図１５に示すような第１ライン部５１のパターンは、例えば、はじめに、複数の交点５１ａがそれぞれ所定の方向に沿って周期的に並ぶように第１ライン部５１を配置し、次に、隣接する交点５１ａ間の距離よりも小さい距離だけ様々な方向で各交点５１ａをランダムに変位させることにより、作製され得る。複数の交点５１ａが不規則に並ぶように第１ライン部５１を配置することにより、例えば、モアレを低減するという効果が期待される。なお図示はしないが、第２ライン部５６も、第１ライン部５１の場合と同様に、複数の交点５６ａが不規則に並ぶように配置されていてもよい。
【００９０】
図１５に示す本変形例においても、第１導線５０は、第２導線５５の第２分断部５８と重なる位置において、第１ライン部５１が延びる方向とは交差する方向で第１ライン部５１から突出した第１突出部５４を含んでいる。このため、第２分断部５８が観察者に視認されてしまうことを抑制することができる。
【００９１】
（分断部がずれている変形例）
上述した実施の形態では、第１導線５０は、第２導線５５の第２分断部５８と重なる位置において第１ライン部５１が延びる方向とは交差する方向で第１ライン部５１から突出した第１突出部５４を含んでいたが、第１導線は、第１ライン部から突出し且つ導電性パターン基板の一方の側から見た場合に第２導線の第２分断部と重なる位置を延びる第１突出部５４を含んでいてもよい。すなわち、第１ライン部５１が第２分断部５８上に存在しなくても、第１突出部５４が、第１ライン部５１から延び出した後に、第２分断部５８上まで延びていればよい。この変形例について、図１６乃至図１８を用いて説明する。
【００９２】
図１６は、第１電極４１および第１ダミー部４２からなる第１導線５０を示す、図３Ｂに対応する平面図である。図１６から理解されるように、符号Ｂ１が付された一点鎖線で示される第１電極４１の輪郭（言い換えると、第１電極４１及び第１ダミー部４２の境界）は、図３Ｂに示した第１導線５０の図と異なり、同一方向に延びる隣り合う二つの第１ライン部５１の中間部からずれた位置にある。例えば図１６に示す例における第１分断部５３ａは、第１の交点５１ａ１と第２の交点５１ａ２との中間となる位置からずれた位置に設けられている。ここで、第１の交点５１ａ１は、第１分断部５３ａに分断された二つの第１ライン部５１ｘ１，５１ｘ２の一方（第１ライン部５１ｘ１）と、第１分断部５３ａの両側に位置して二つの第１ライン部５１ｘ１，５１ｘ２とそれぞれ交差し且つ隣り合って設けられた他の二つの第１ライン部５１ｙ１，５１ｙ２の一方（第１ライン部５１ｙ１）と、の交点である。また、第２の交点５１ａ２は、二つの第１ライン部５１ｘ１，５１ｘ２の他方（第１ライン部５１ｘ２）と他の二つの第１ライン部５１ｙ１，５１ｙ２の他方（第１ライン部５１ｙ２）との交点である。そして、第１電極４１の輪郭を画成する第１分断部５３上に、第２導線５５の第２ライン部５６が存在していない。すなわち、第１分断部５３は、導電性パターン基板の一方の側から見た場合に、第２ライン部５６とずれた位置に設けられている。
【００９３】
この変形例において、第１突出部５４は、第２分断部５８上を延びるように配置されている。第１突出部５４は、第２分断部５８上を延びていれば、任意の形状でよい。例えば図１６に示す第１突出部５４ａのように、第１突出部５４は、上述した実施例と同様に第１ライン部５１と交差するようにして当該第１ライン部の両側に突出するようにしてもよい。また、図１６に示す第１突出部５４ｂのように、第１突出部５４は、第１ライン部５１の片側のみに突出するようにしてもよい。あるいは、図１６に示す第１突出部５４ｃのように、第１突出部５４は、第１ライン部５１から延び出し、その後に屈曲または湾曲するようにしてもよい。
【００９４】
同様に、図１７は、第２電極４６および第２ダミー部４７からなる第２導線５５を示す、図４Ｂに対応する平面図である。符号Ｂ２が付された一点鎖線で示される第２電極４６の輪郭は、図４Ｂに示した第２導線５５の図と異なり、同一方向に延びる隣り合う二つの第２ライン部５６の中間部からずれた位置にある。例えば図１７に示す例における第２分断部５８ａは、第１の交点５６ａ１と第２の交点５６ａ２との中間となる位置からずれた位置に設けられている。ここで第１の交点５６ａ１は、第２分断部５８ａに分断された二つの第２ライン部５６ｘ１，５６ｘ２の一方と、第２分断部５８ａの両側に位置して二つの第２ライン部５６ｘ１，５６ｘ２とそれぞれ交差し且つ隣り合って設けられた他の二つの第２ライン部５６ｙ１，５６ｙ２の一方と、の交点である。また、第２の交点５６ａ２は、二つの第２ライン部５６ｘ１，５６ｘ２の他方と他の二つの第２ライン部５６ｙ１，５６ｙ２の他方との交点である。そして、第２電極４６の輪郭を画成する第２分断部５８上に、第１導線５０の第１ライン部５１が存在していない。すなわち、第２分断部５８は、導電性パターン基板の一方の側から見た場合に、第１ライン５１とずれた位置に設けられている。
【００９５】
第２突出部５９は、第１分断部５３上を延びるように配置されている。第２突出部５９もまた、第１分断部５３上を延びていれば、任意の形状でよい。例えば図１７に示す第２突出部５９ａのように、第２突出部５９は、上述した実施例と同様に第２ライン部５６と交差するようにして当該第２ライン部の両側に突出するようにしてもよい。また、図１７に示す第２突出部５９ｂのように、第２突出部５９は、第２ライン部５６の片側のみに突出するようにしてもよい。あるいは、図１７に示す第２突出部５９ｃのように、第２突出部５９は、第２ライン部５６から延び出し、その後に屈曲または湾曲するようにしてもよい。
【００９６】
図１８は、図１６に示した第１導線５０と、図１７に示した第２導線５５を重ねて示す、図５Ｂに対応する平面図である。なお、図１８においては、便宜上、タッチパネル基板３０の一方の側に設けられている、第１電極４１や第１ダミー部４２などの構成要素が、タッチパネル基板３０の他方の側に設けられている、第２電極４６や第２ダミー部４７などの構成要素よりも太い線で表されている。図示から明らかなように、第１突出部５４は、第１ライン部の第２分断部５８と交差していない位置から延び出し、第２分断部５８上まで延びている。より具体的には、図１６の第１突出部５４ａが図１７の第２分断部５８ａと重なり、図１６の第１突出部５４ｂが図１７の第２分断部５８ｂと重なり、図１６の第１突出部５４ｃが図１７の第２分断部５８ｃと重なり、図１６の第１突出部５４ｄが図１７の第２分断部５８ｄと重なっている。とりわけ、図示された例において、第１突出部５４は、第１ライン部の第２ライン部と交差する位置から延び出し、第２ライン部上を延びて第２分断部に到達している。同様に、第２突出部５９は、第２ライン部の第１分断部と交差していない位置から延び出し、第１分断部上まで延びている。より具体的には、図１７の第２突出部５９ａが図１６の第１分断部５３ａと重なり、図１７の第２突出部５９ｂが図１６の第１分断部５３ｂと重なり、図１７の第２突出部５９ｃが図１６の第１分断部５３ｃと重なっている。とりわけ、図示された例において、第２突出部は、第２ライン部の第１ライン部と交差する位置から延び出し、第１ライン部上を延びて第１分断部に到達している。
【００９７】
この変形例においても、上述の実施の形態と同様に、分断部での光の透過を抑制することができ、また、分断部に起因するモアレの発生を抑制することができる。さらには、電極の輪郭をライン部の中間にする必要がないので、電極の設計の自由度を上げることができる。
【００９８】
また、上述の実施形態および変形例においては、図３Ａ乃至図５Ｂ、図１６乃至図１８に示されるように、第１電極４１の輪郭（言い換えると、第１電極４１及び第２ダミー部４２の境界）Ｂ１及び第２電極４６の輪郭（言い換えると、第２電極４６及び第２ダミー部４７の境界）Ｂ２は、第１ライン部５１又は第２ライン部５６が延びる方向とそれぞれ平行に示されていた。しかしながら、これに限らず、図１９乃至図２１に示すように、第１電極４１の輪郭Ｂ１及び第２電極４６の輪郭Ｂ２は、第１ライン部５１及び第２ライン部５６が延びる方向と非平行であってもよい。図１９は第１電極４１の輪郭Ｂ１が第１方向Ｍ１及び第２方向Ｍ２と非平行である第１導線５０を、図２０は第２電極４６の輪郭Ｂ２が第１方向Ｍ１及び第２方向Ｍ２と非平行である第２導線５５を、それぞれ示している。上述の変形例と同様に、導電性パターン基板の一方の側から見た場合に、第１分断部５３は第２ライン部５６とずれた位置に設けられており、第２分断部５８は第１ライン５１とずれた位置に設けられている。
【００９９】
図２１は、図１９に示した第１導線５０と、図２０に示した第２導線５５を重ねて示す平面図である。図２１から明らかなように、この場合においても、第１突出部５４は、第１ライン部の第２ライン部と交差する位置から延び出し、第２ライン部上を延びて第２分断部に到達している。より具体的には、図１９の第１突出部５４ａが図２０の第２分断部５８ａと重なり、図１９の第１突出部５４ｂが図２０の第２分断部５８ｂと重なり、図１９の第１突出部５４ｃが図２０の第２分断部５８ｃと重なり、図１９の第１突出部５４ｄが図２０の第２分断部５８ｄと重なっている。同様に、第２突出部５９は、第２ライン部の第１分断部と交差していない位置から延び出し、第１分断部上まで延びている。より具体的には、図２０の第２突出部５９ａが図１９の第１分断部５３ａと重なり、図２０の第２突出部５９ｂが図１９の第１分断部５３ｂと重なり、図２０の第２突出部５９ｃが図１９の第１分断部５３ｃと重なり、図２０の第２突出部５９ｄが図１９の第１分断部５３ｄと重なり、図２０の第２突出部５９ｅが図１９の第１分断部５３ｅと重なっている。とりわけ、図示された例において、第２突出部は、第２ライン部の第１ライン部と交差する位置から延び出し、第１ライン部上を延びて第１分断部に到達している。
【０１００】
したがって、上述の実施の形態及び変形例と同様に、分断部での光の透過を抑制することができ、また、分断部に起因するモアレの発生を抑制することができる。さらには、電極の輪郭をライン部に依存させず任意に設計できるので、電極の設計の自由度をさらに上げることができる。
【０１０１】
第１電極４１の輪郭Ｂ１及び第２電極４６の輪郭Ｂ２が、第１ライン部５１及び第２ライン部５６の延びる方向と非平行な方向に直線状に延びる場合、第１電極４１の輪郭Ｂ１が、二つの第１ライン部５１の交点５１ａ上を通過することや、第２電極４６の輪郭Ｂ２が、二つの第２ライン部５６の交点５６ａ上を通過することもあり得る。すなわち、ライン部の交点に分断部を配置しなければならないことも想定される。一方、網目状の配列された導線を作製する場合、とりわけ上述したフォトリソグラフィー技術を用いたエッチングでのパターニングで網目状導線を作製する場合、導線の幅が交点の近傍においてばらつくといった問題が生じ得る。一般的には、導線の幅が交点の近傍において太くなる傾向がある。このような交点近傍における導線の幅のばらつきを抑えることを目的として、予め、導線の幅の目標値からのずれ量を見込んで、設計が行われている。しかしながら、交点およびその近傍に分断部が配置されると、導線の幅のばらつきが顕著となり、これにともなって導線の幅のばらつきを抑える設計が大幅に煩雑化してしまう。このため、図１９〜図２１に示された例では、第１電極４１の輪郭Ｂ１は、二つの第１ライン部５１の交点５１ａを避けるように規定され、第２電極４６の輪郭Ｂ２は、二つの第２ライン部５６の交点５６ａを避けるように規定されている。すなわち、第１分断部５３が第１ライン部５１の交点５１ａからずらして配置され、第２分断部５８が第２ライン部５６の交点５６ａからずらして配置されている。
【０１０２】
なお、この変形例においても、上述の実施の形態の同様に、ダミー部４２，４７にも分断部を設けてもよい。この場合、当該ダミー部に対応して突出部が設けられる。また、第１導線５０と第２導線５５のうち、一方のみが本変形例の態様となるようにしてもよい。
【０１０３】
（ダミー部の配置の変形例）
上述の実施の形態では、電極とダミー部のそれぞれに、適宜突出部および分断部が設けられる例を示した。しかしながら、図２２に示すように、ダミー部には分断部のみが設けられ、電極には突出部のみが設けられるようにしてもよい。なお、図２２においては、便宜上、タッチパネル基板３０の一方の側に設けられている、第１電極４１や第１ダミー部４２などの構成要素が、タッチパネル基板３０の他方の側に設けられている、第２電極４６や第２ダミー部４７などの構成要素よりも太い線で表されている。図２２では、第１導線５０の第１電極４１には第１分断部が設けられず第１突出部５４のみが設けられ、第２導線５５の第２ダミー部４７には第２突出部が設けられず第２分断部５８のみが設けられている例を示しているが、第１導線５０と第２導線５５とが逆でも当然よい。この変形例において、電極とダミー部がそれぞれ簡易な設計とすることができる。
【０１０４】
（層構成の変形例）
また上述の実施の形態の形態においては、第１電極４１および第１ダミー部４２を構成する第１導線５０が、基材３２の第１面３２ａ上に設けられ、第２電極４６および第２ダミー部４７を構成する第２導線５５が、基材３２の第２面３２ｂ上に設けられる例を示した。しかしながら、タッチパネル基板３０の一方の側から見た場合に、第１分断部５３が第２ライン部５６および第２突出部５９と少なくとも部分的に重なり、第２分断部５８が第１ライン部５１および第１突出部５４と少なくとも部分的に重なることができる限りにおいて、タッチパネル基板３０の層構成が特に限られることはない。例えば図２３Ａに示すように、互いに対向する２つの基材３２Ａ，３２Ｂの対向面の一方（第１の基材３２Ａ）に第１導線５０を設け、他方（第２の基材３２Ｂ）に第２導線５５を設け、そして２つの基材３２を貼り合わせてもよい。このように２つの基材３２Ａ，３２Ｂを貼り合わせる場合であっても、第１導線５０によって、タッチパネル基板３０の一方の側に設けられる第１電極４１および第１ダミー部４２を構成することができ、また第２導線５５によって、タッチパネル基板３０の他方の側に設けられる第２電極４６および第２ダミー部４７を構成することができる。また、第１ライン部５１および第１突出部５４が第２分断部５８と少なくとも部分的に重なり、第２ライン部５６および第２突出部５９（図示せず）が第１分断部５３（図示せず）と少なくとも部分的に重なるよう、第１導線５０および第２導線５５を配置することにより、分断部５３，５８が観察者に視認されてしまうことを抑制することができる。
【０１０５】
なお図２３Ａにおいては、第１の基材３２Ａのうち第１導線５０が設けられている面と、第２の基材３２Ｂのうち第２導線５５が設けられている面とが向かい合うように２つの基材３２Ａ，３２Ｂを貼りあわせ、これによって、タッチパネル基板３０の一方の側に設けられる第１ライン部５１および第１突出部５４が、タッチパネル基板３０の他方の側に設けられる第２ライン部５６の間の第２分断部５８と少なくとも部分的に重なる例を示した。しかしながら、これに限られることはなく、図２３Ｂに示すように、第１の基材３２Ａのうち第１導線５０が設けられている面とは反対側の面と、第２の基材３２Ｂのうち第２導線５５が設けられている面とは反対側の面とが向かい合うように、２つの基材３２Ａ，３２Ｂを貼りあわせてもよい。その他にも、図２３Ｃに示すように、第１の基材３２Ａのうち第１導線５０が設けられている面とは反対側の面と、第２の基材３２Ｂのうち第２導線５５が設けられている面とが向かい合うように、２つの基材３２Ａ，３２Ｂを貼りあわせてもよい。これらの場合であっても、第１ライン部５１および第１突出部５４が第２分断部５８と少なくとも部分的に重なり、第２ライン部５６および第２突出部５９（図示せず）が第１分断部５３（図示せず）と少なくとも部分的に重なるよう、第１導線５０および第２導線５５を配置することにより、分断部５３，５８が観察者に視認されてしまうことを抑制することができる。
【０１０６】
（電極のパターンの変形例）
また上述の実施の形態の形態においては、電極４１，４６が膨出部４１ａ，４６ａおよび線状部４１ｂ，４６ｂを含む例を示した。すなわち、電極４１，４６のパターンがいわゆるダイヤモンドパターンである例を示した。しかしながら、電極４１，４６のパターンが特に限られることはない。例えば図２４に示すように、電極４１，４６のパターンとして、いわゆるストライプパターンが採用されてもよい。
【０１０７】
（その他の変形例）
上述の実施の形態の形態においては、複数の第２分断部５８の全てに第１ライン部５１および第１突出部５４が重ねられる例を示した。しかしながら、これに限られることはなく、複数の第２分断部５８の少なくとも一部が第１ライン部５１および第１突出部５４に重なっていればよい。例えば、第２電極４６と第２ダミー部４７との境界を区画する第２分断部５８には第１ライン部５１および第１突出部５４が重ねられるが、第２ダミー部４７内の第２分断部５８には第１ライン部５１および第１突出部５４が重ねられない、という配置が採用されてもよい。反対に、第２ダミー部４７内の第２分断部５８には第１ライン部５１および第１突出部５４が重ねられるが、第２電極４６と第２ダミー部４７との境界を区画する第２分断部５８には第１ライン部５１および第１突出部５４が重ねられない、という配置が採用されてもよい。また、複数の第２分断部５８が一定の比率で第１ライン部５１および第１突出部５４に重ねられるようになっていてもよい。第１分断部５３についても同様に、複数の第１分断部５３の少なくとも一部が第２ライン部５６および第２突出部５９に重ねられていればよい。この場合であっても、第１分断部５３や第２分断部５８が無秩序に配置されている場合に比べれば、電極４１，４６が設けられている領域における光の透過率と、分断部５３，５８を含む領域における光の透過率との差を小さくすることができる。
【０１０８】
また上述の実施の形態の形態においては、第１ライン部５１および第１突出部５４が第２分断部５８と少なくとも部分的に重なり、第２ライン部５６および第２突出部５９が第１分断部５３と少なくとも部分的に重なるよう配置された第１導線５０および第２導線５５を用いて、タッチパネル基板３０を構成する例を示した。しかしながら、これに限られることはなく、タッチパネル基板３０以外にも、上述の第１導線５０および第２導線５５を用いて、導電性を有するパターンを備えた様々な導電性パターン基板を構成することができる。例えば、移動体用メッシュアンテナや電磁波シールド等として使用される導電性パターン基板を構成することができる。
【０１０９】
なお、上述した実施の形態に対するいくつかの変形例を説明してきたが、当然に、複数の変形例を適宜組み合わせて適用することも可能である。
【符号の説明】
【０１１０】
１０  タッチ位置検出機能付き表示装置
１５  表示装置
２０  タッチパネル装置
３０  タッチパネル基板
３２  基材
４１  第１電極
４１ａ  第１膨出部
４１ｂ  第１線状部
４２  第１ダミー部
４６  第２電極
４６ａ  第２膨出部
４６ｂ  第２線状部
４７  第２ダミー部
５０  第１導線
５１  第１ライン部
５１ａ  交点
５２  第１開口部
５３  第１分断部
５４  第１突出部
５５  第２導線
５６  第２ライン部
５６ａ  交点
５７  第２開口部
５８  第２分断部
５９  第２突出部
６０  積層体
６１  第１金属層
６６  第２金属層
７１  第１感光層
７２  第１露光マスク
７６  第２感光層
７７  第２露光マスク
Ｄ１  第１電極方向
Ｄ２  第２電極方向
Ｍ１  第１方向
Ｍ２  第２方向
【図１】
2017004519.tif 000003
【図２】
2017004519.tif 000004
【図３Ａ】
2017004519.tif 000005
【図３Ｂ】
2017004519.tif 000006
【図４Ａ】
2017004519.tif 000007
【図４Ｂ】
2017004519.tif 000008
【図５Ａ】
2017004519.tif 000009
【図５Ｂ】
2017004519.tif 000010
【図６】
2017004519.tif 000011
【図７】
2017004519.tif 000012
【図８】
2017004519.tif 000013
【図９】
2017004519.tif 000014
【図１０】
2017004519.tif 000015
【図１１】
2017004519.tif 000016
【図１２】
2017004519.tif 000017
【図１３】
2017004519.tif 000018
【図１４】
2017004519.tif 000019
【図１５】
2017004519.tif 000020
【図１６】
2017004519.tif 000021
【図１７】
2017004519.tif 000022
【図１８】
2017004519.tif 000023
【図１９】
2017004519.tif 000024
【図２０】
2017004519.tif 000025
【図２１】
2017004519.tif 000026
【図２２】
2017004519.tif 000027
【図２３Ａ】
2017004519.tif 000028
【図２３Ｂ】
2017004519.tif 000029
【図２３Ｃ】
2017004519.tif 000030
【図２４】
2017004519.tif 000031